(57)【要約】      （修正有）【課題】架台のボア内の居住性を向上可能な磁気共鳴イメージングシステム、磁気共鳴イメージング装置及び映像投影プログラムを提供する。【解決手段】磁気共鳴イメージングシステムは、ボア５３が形成された磁気共鳴撮像用の架台と、天板１３１を移動自在に支持する寝台と、ボア５３内に配置され、映写機１００からの映像が投影されるスクリーンとスクリーンに投影された映像を反射する反射板と反射板を支持する支持体とを有するスクリーン装置と、スクリーンに投影された映像を反射板を介さずに見るための第１の形態とスクリーンに投影された映像を反射板を介して見るための第２の形態との切替えが行われる前において、第１の映像に関する第１の映像信号を映写機１００に出力し、切替えが行われた後において、第２の映像に関する第２の映像信号を映写機１００に出力する出力部とを具備する。【選択図】図１２
2017080300.tif 000002
【特許請求の範囲】
【請求項１】
ボアが形成された磁気共鳴撮像用の架台と、
天板を移動自在に支持する寝台と、
前記ボア内に配置され、映写機からの映像が投影されるスクリーンと前記スクリーンに投影された映像を反射する反射板と前記反射板を支持する支持体とを有するスクリーン装置と、
前記スクリーンに投影された映像を前記反射板を介さずに見るための第１の形態と前記スクリーンに投影された映像を前記反射板を介して見るための第２の形態との切替えが行われる前において、第１の映像に関する第１の映像信号を前記映写機に出力し、前記切替えが行われた後において、第２の映像に関する第２の映像信号を前記映写機に出力する出力部と、
を具備する磁気共鳴イメージングシステム。
【請求項２】
前記第１の形態と前記第２の形態との切替えに応じて変化する前記寝台又は前記スクリーン装置の位置検出信号を出力する検出部と、
前記位置検出信号に基づいて前記寝台又は前記スクリーン装置の形態が前記第１の形態と前記第２の形態とのうち何れであるかの判定を行う判定部と、を更に備え、
前記出力部は、前記判定に基づいて、前記第１の映像信号と前記第２の映像信号とのうち何れかの映像信号を前記映写機に出力する、
請求項１記載の磁気共鳴イメージングシステム。
【請求項３】
前記検出部は、前記天板、前記反射板及び前記支持体の少なくとも一に係る位置に関する前記位置検出信号を出力し、
前記判定部は、前記位置検出信号と予め設定された基準値との比較に基づいて前記判定を行う、
請求項２記載の磁気共鳴イメージングシステム。
【請求項４】
前記検出部は、前記天板の鉛直方向又は水平方向の位置に関する前記位置検出信号を出力し、
前記判定部は、前記位置検出信号と前記天板の鉛直方向又は水平方向の位置に関する前記基準値との比較に基づいて前記天板の形態が前記第１の形態と前記第２の形態とのうち何れかであるかを判定する、
請求項３記載の磁気共鳴イメージングシステム。
【請求項５】
前記検出部は、前記反射板の回転角度に関する前記位置検出信号を出力し、
前記判定部は、前記位置検出信号と前記反射板の回転角度に関する前記基準値との比較に基づいて前記反射板の形態が前記第１の形態と前記第２の形態とのうち何れかであるかを判定する、
請求項３記載の磁気共鳴イメージングシステム。
【請求項６】
前記スクリーン装置は、前記反射板を支持する支持体を水平方向に関してスライド可能に支持し、
前記検出部は、前記支持体の水平方向の位置に関する前記位置検出信号を出力し、
前記判定部は、前記位置検出信号と前記支持体の水平方向に関する基準値との比較に基づいて前記支持体の形態が前記第１の形態と前記第２の形態とのうち何れかであるかを判定する、
請求項３記載の磁気共鳴イメージングシステム。
【請求項７】
前記検出部は、前記天板、前記反射板及び前記支持体の少なくとも一に係る位置が予め設定された基準点に一致するか否かを示す前記位置検出信号を出力し、
前記判定部は、前記位置検出信号に基づいて、前記天板、前記反射板及び前記支持体の少なくとも一の形態が前記第１の形態と前記第２の形態とのうち何れかであるかを判定する、
請求項２記載の磁気共鳴イメージングシステム。
【請求項８】
前記第１の映像と前記第２の映像とは、同一のコンテンツを有し、
前記第２の映像は、前記第１の映像を反転させた映像又は前記第１の映像の中心点回りに所定角度回転された映像である、
請求項１記載の磁気共鳴イメージングシステム。
【請求項９】
前記出力部は、前記第１の形態から前記第２の形態への切替え時点における前記第１の映像のフレームから所定時刻遡った時刻のフレームから前記第２の映像を再生するように前記第２の映像信号を出力する、請求項８記載の磁気共鳴イメージングシステム。
【請求項１０】
前記第１の映像と前記第２の映像とは、異なるコンテンツを有する、請求項１記載の磁気共鳴イメージングシステム。
【請求項１１】
映写機に接続された磁気共鳴イメージング装置であって、
ボアが形成された磁気共鳴撮像用の架台と、
天板を移動自在に支持する寝台と、
前記ボア内に配置され、前記映写機からの映像が投影されるスクリーンと前記スクリーンに投影された映像を反射する反射板と前記反射板を支持する支持体とを有するスクリーン装置と、
前記スクリーンに投影された映像を前記反射板を介さずに見るための第１の形態と前記スクリーンに投影された映像を前記反射板を介して見るための第２の形態との切替えが行われる前において、第１の映像に関する第１の映像信号を前記映写機に出力し、前記切替えが行われた後において、第２の映像に関する第２の映像信号を前記映写機に出力する出力部と、
を具備する磁気共鳴イメージング装置。
【請求項１２】
スクリーンと前記スクリーンに映し出された映像を反射する反射板と前記反射板を支持する支持体とを有するスクリーン装置に映像を投影する映写機に接続されたコンピュータに、
前記スクリーンに投影された映像を前記反射板を介さずに見るための第１の形態と前記スクリーンに投影された映像を前記反射板を介して見るための第２の形態との切替に応じて変化する寝台又は前記スクリーン装置の位置検出信号に基づいて、前記寝台又は前記スクリーン装置の形態が前記第１の形態と前記第２の形態とのうち何れかであるかを判定する機能と、
前記第１の形態の場合、第１の映像に関する第１の映像信号を出力し、前記第２の形態の場合、第２の映像に関する第２の映像信号を出力する機能と、
を具備する映像投影プログラム。
【発明の詳細な説明】
【技術分野】
【０００１】
本発明の実施形態は、磁気共鳴イメージングシステム、磁気共鳴イメージング装置及び映像投影プログラムに関する。
【背景技術】
【０００２】
磁気共鳴イメージング装置は、磁石等の撮像機構を装備する架台を有している。架台には略中空形状のボアが形成されている。ＭＲ（Magnetic Resonance）撮像はボア内に患者が挿入された状態において行われる。比較的大きいボア径を有する架台が開発されているが、長時間に及ぶＭＲ撮像時間や架台駆動中の騒音、ボア内での圧迫感及び閉塞感により、ＭＲ検査にストレスを感じる患者は少なくない。
【先行技術文献】
【特許文献】
【０００３】
【特許文献１】特開２００１−３１４３９１号公報
【発明の概要】
【発明が解決しようとする課題】
【０００４】
実施形態の目的は、架台のボア内の居住性を向上可能な磁気共鳴イメージングシステム、磁気共鳴イメージング装置及び映像投影プログラムを提供することにある。
【課題を解決するための手段】
【０００５】
本実施形態に係る磁気共鳴イメージングシステムは、ボアが形成された磁気共鳴撮像用の架台と、天板を移動自在に支持する寝台と、前記ボア内に配置され、映写機からの映像が投影されるスクリーンと前記スクリーンに投影された映像を反射する反射板と前記反射板を支持する支持体とを有するスクリーン装置と、前記スクリーンに投影された映像を前記反射板を介さずに見るための第１の形態と前記スクリーンに投影された映像を前記反射板を介して見るための第２の形態との切替えが行われる前において、第１の映像に関する第１の映像信号を前記映写機に出力し、前記切替えが行われた後において、第２の映像に関する第２の映像信号を前記映写機に出力する出力部と、を具備する。
【図面の簡単な説明】
【０００６】
【図１】図１は、本実施形態に係る医用画像診断装置を含む医用画像診断システムの構成を示す図である。
【図２】図２は、本実施形態に係る磁気共鳴イメージング装置の構成を示す図である。
【図３】図３は、本実施形態に係る磁気共鳴イメージングシステムの設置環境の一例を示す図である。
【図４】図４は、本実施形態に係る架台筐体の斜視図である。
【図５】図５は、本実施形態に係る移動式スクリーン装置の斜視図である。
【図６】図６は、図５の移動式スクリーン装置の側面図である。
【図７】図７は、図５の移動式スクリーン装置の正面図である。
【図８】図８は、本実施形態に係る、連結した移動式スクリーン装置と天板１３１との斜視図である。
【図９】図９は、本実施形態に係り、ボア内に配置されたスクリーンの正面を示す図である。
【図１０】図１０は、本実施形態に係り、スライド機構が搭載された移動式スクリーン装置の側面を示す図である。
【図１１】図１１は、本実施形態に係り、スライド機構が搭載された移動式スクリーン装置の側面を示す他の図である。
【図１２】図１２は、第１の映写形式における移動式スクリーン装置を架台の側方から示す図である。
【図１３】図１３は、第１の映写形式における移動式スクリーン装置を架台の正面から示す図である。
【図１４】図１４は、第２の映写形式における移動式スクリーン装置を架台の側方から示す図である。
【図１５】図１５は、本実施形態に係る映写機制御装置の構成を示す図である。
【図１６】図１６は、本実施形態に係る映像投影プログラムに従い処理回路により実行される映像投影処理の典型的な流れを示す図である。
【図１７】図１７は、本実施形態に係る第１の配置形態にある天板を示す図である。
【図１８】図１８は、本実施形態に係る第２の配置形態にある天板を示す図である。
【図１９】図１９は、本実施形態に係る第１の配置形態にある反射板を示す図である。
【図２０】図２０は、本実施形態に係る第２の配置形態にある反射板を示す図である。
【図２１】図２１は、本実施形態に係る第１の配置形態にある支持アームを示す図である。
【図２２】図２２は、本実施形態に係る第２の配置形態にある支持アームを示す図である。
【図２３】図２３は、互いに左右反転の関係にある第１の映像と第２の映像とを模式的に示す図である。
【図２４】図２４は、第２の映像の再生開始フレームの調節処理を示す図である。
【図２５】図２５は、異なるコンテンツに関する第１の映像と第２の映像とを模式的に示す図である。
【図２６】図２６は、変形例に係る磁気共鳴イメージングシステムの構成を示す図である。
【図２７】図２７は、変形例に係る磁気共鳴イメージング装置の構成を示す図である。
【発明を実施するための形態】
【０００７】
ＭＲ検査におけるストレスを軽減するための技術として、次のような技術が考えられる。例えば、１．ゴーグルタイプのヘッドマウントディスプレイ、２．検査室の天井や壁への液晶モニタの設置、３．架台後方に配置された液晶モニタの映像を見るための鏡が取付けられたヘッドコイルがある。しかしながら、１の技術の場合、ヘッドマウントディスプレイを患者に取り付けることにより患者に圧迫感及び閉塞感を与えてしまう。２の技術の場合、患者の頭部が架台内に入ると液晶モニタの映像を見ることができない。３の技術の場合、ＭＲ撮像中はヘッドコイルに装着された鏡を介して映像を見ることができるのでボアによる閉塞感を軽減することができる。しかし、鏡をヘッドコイル毎に取り付けなければならない。また、頭部を覆うヘッドコイルの隙間に鏡が取り付けられているため患者は映像の広がりをあまり感じることができない。また、架台の後方に液晶モニタが設置され架台の前方を隠すものはないため、患者はＭＲ撮像前において架台外にいるときにボアを容易に視認できてしまい、その後にたとえヘッドコイルを付けて鏡を介して映像を見ていてもボア内に居る感覚を拭い去ることはできない。更に、鏡と液晶モニタとの位置関係が天板の移動と共に変わるため、天板の移動中に鏡を介して液晶モニタの映像を見ていても患者はボア内を進む感覚も残存する。
【０００８】
以下、図面を参照しながら本実施形態に係わる磁気共鳴イメージングシステム、磁気共鳴イメージング装置及び映像投影プログラムを説明する。
【０００９】
図１は、本実施形態に係る医用画像診断装置１０を含む医用画像診断システム１の構成を示す図である。図１に示すように、医用画像診断システム１は、互いに有線又は無線で通信可能に接続された医用画像診断装置１０と映写機１００と映写機制御装置２００とを含む。医用画像診断装置１０は、架台１１、寝台１３、移動式スクリーン装置１５及び撮像制御ユニット１７を有する。例えば、架台１１、寝台１３及び移動式スクリーン装置１５は、検査室に設置され、撮像制御ユニット１７は、検査室に隣接する制御室に設置される。架台１１は、医用撮像を実現するための機構を装備する。架台１１には中空形状を有するボアが形成されている。架台１１の前方には寝台１３が設置されている。寝台１３は患者が載置される天板を移動自在に支持する。寝台１３は架台１１及び撮像制御ユニット１７等による制御に従い天板を移動する。架台１１のボア内には移動式スクリーン装置１５が移動可能に設けられている。架台１１の前方又は後方には映写機１００が設置されている。移動式スクリーン装置１５には映写機１００からの映像が投影される。
【００１０】
映写機制御装置２００は、映写機１００を制御するコンピュータ装置である。映写機制御装置２００は、映写対象の映像信号を映写機１００に供給する。映写機１００は、映写機制御装置２００からの映像信号に対応する映像を移動式スクリーン装置１５のスクリーンに投影する。映写機１００としては、例えば、液晶方式やＤＬＰ（Digital Light Processing）方式、ＬＣＯＳ（Liquid Crystal On Silicon）方式、ＧＬＶ（Grating Light Valve）方式等が用いられると良い。この場合、映写機１００は、少なくとも表示機器と光源とを搭載する。表示機器は、映写機制御装置２００からの映像信号に対応する映像を表示する。光源は直接的又は光学系を介して間接的に表示機器に光を照射する。表示機器から透過又は反射した光（以下、投影光と呼ぶ）は、直接的又は光学系を介して間接的に映写機１００の外部に射出される。投影光が移動式スクリーン装置１５に照射されることにより、当該投影光に対応する映像が移動式スクリーン装置１５に映し出される。
【００１１】
撮像制御ユニット１７は、医用画像診断装置１０の中枢として機能する。例えば、撮像制御ユニット１７は、医用撮像を行うために架台１１を制御する。また、撮像制御ユニット１７は、医用撮像において架台１１により収集された生データに基づいて患者Ｐに関する医用画像を再構成する。なお、撮像制御ユニット１７は、映写機制御装置２００を介して映写機１００を制御可能に構成されても良い。
【００１２】
本実施形態に係る医用画像診断システム１は、映写機１００と移動式スクリーン装置１５とを利用して、医用画像診断装置１０による医用撮像時におけるボア内における居住性を高めることを可能にする。本実施形態に係る医用画像診断装置１０としては、ボアが形成された架台１１を用いて患者Ｐを撮像可能な如何なる装置でも良い。具体的には、本実施形態に係る医用画像診断装置１０としては、磁気共鳴イメージング（ＭＲＩ：Magnetic Resonance Imaging）装置、Ｘ線コンピュータ断層撮影（ＣＴ：Computed Tomography）装置、ＰＥＴ（Positron Emission Tomography）装置及びＳＰＥＣＴ（Single Photon Emission Computed Tomography）装置等の単一モダリティに適用可能である。或いは、本実施形態に係る医用画像診断装置１０としては、ＭＲ／ＰＥＴ装置、ＣＴ／ＰＥＴ装置、ＭＲ／ＳＰＥＣＴ装置、ＣＴ／ＳＰＥＣＴ装置等の複合モダリティに適用されても良い。しかしながら、以下の説明を具体的に行うため、本実施形態に係る医用画像診断装置１０は、磁気共鳴イメージング装置１０であるとする。また、磁気共鳴イメージング装置１０と映写機１００と映写機制御装置２００とを含む医用画像診断システム１を磁気共鳴イメージングシステム１と呼ぶことにする。
【００１３】
図２は、本実施形態に係る磁気共鳴イメージング装置１０の構成を示す図である。図２に示すように、磁気共鳴イメージング装置１０は、架台１１、寝台１３、移動式スクリーン装置１５、撮像制御ユニット１７及び位置検出器１９を有する。撮像制御ユニット１７は、傾斜磁場電源２１、送信回路２３、受信回路２５及びコンソール２７を有する。コンソール２７は、撮像制御回路３１、再構成回路３２、画像処理回路３３、通信回路３４、表示回路３５、入力回路３６、主記憶回路３７及びシステム制御回路３８を有する。撮像制御回路３１、再構成回路３２、画像処理回路３３、通信回路３４、表示回路３５、入力回路３６、主記憶回路３７及びシステム制御回路３８は、互いにバスを介して通信可能に接続されている。傾斜磁場電源２１、送信回路２３及び受信回路２５は、コンソール２７と架台１１とは別個に設けられている。
【００１４】
架台１１は、静磁場磁石４１、傾斜磁場コイル４３及びＲＦコイル４５を有する。また、静磁場磁石４１と傾斜磁場コイル４３とは架台１１の筐体（以下、架台筐体と呼ぶ）５１に収容されている。架台筐体５１には中空形状を有するボア５３が形成されている。架台筐体５１のボア５３内にＲＦコイル４５が配置される。また、架台筐体５１のボア５３内に本実施形態に係る移動式スクリーン装置１５が配置される。
【００１５】
静磁場磁石４１は、中空の略円筒形状を有し、略円筒内部に静磁場を発生する。静磁場磁石４１としては、例えば、永久磁石、超伝導磁石または常伝導磁石等が使用される。ここで、静磁場磁石４１の中心軸をＺ軸に規定し、Ｚ軸に対して鉛直に直交する軸をＹ軸と呼び、Ｚ軸に水平に直交する軸をＸ軸と呼ぶことにする。Ｘ軸、Ｙ軸、及びＺ軸は、直交３次元座標系を構成する。
【００１６】
傾斜磁場コイル４３は、静磁場磁石４１の内側に取り付けられ、中空の略円筒形状に形成されたコイルユニットである。傾斜磁場コイル４３は、傾斜磁場電源２１からの電流の供給を受けて傾斜磁場を発生する。
【００１７】
傾斜磁場電源２１は、撮像制御回路３１による制御に従い傾斜磁場コイル４３に電流を供給する。傾斜磁場電源２１は、傾斜磁場コイル４３に電流を供給することにより、傾斜磁場コイル４３に傾斜磁場を発生させる。
【００１８】
ＲＦコイル４５は、傾斜磁場コイル４３の内側に配置され、送信回路２３からＲＦパルスの供給を受けて高周波磁場を発生する。また、ＲＦコイル４５は、高周波磁場の作用を受けて患者Ｐ内に存在する対象原子核から発せられる磁気共鳴信号（以下、ＭＲ信号と呼ぶ）を受信する。受信されたＭＲ信号は、有線又は無線を介して受信回路２５に供給される。なお、上述のＲＦコイル４５は、送受信機能を有するコイルであるとしたが、送信用ＲＦコイルと受信用ＲＦコイルとが別々に設けられても良い。
【００１９】
送信回路２３は、患者Ｐ内に存在する対象原子核を励起するための高周波磁場を、ＲＦコイル４５を介して患者Ｐに送信する。対象原子核としては、典型的には、プロトンが用いられる。具体的には、送信回路２３は、撮像制御回路３１による制御に従って、対象原子核を励起するための高周波信号（ＲＦ信号）をＲＦコイル４５に供給する。ＲＦコイル４５から発生された高周波磁場は、対象原子核に固有の共鳴周波数で振動し、対象原子核を励起させる。励起された対象原子核からＭＲ信号が発生され、ＲＦコイル４５により検出される。検出されたＭＲ信号は、受信回路２５に供給される。
【００２０】
受信回路２５は、励起された対象原子核から発生されるＭＲ信号をＲＦコイル４５を介して受信する。受信回路２５は、受信されたＭＲ信号を信号処理してデジタルのＭＲ信号を発生する。デジタルのＭＲ信号は、有線又は無線を介して再構成回路３２に供給される。
【００２１】
架台１１に隣接して寝台１３が設置される。寝台１３は、天板１３１と基台１３３とを有する。天板１３１には患者Ｐが載置される。基台１３３は、天板１３１をＸ軸、Ｙ軸、Ｚ軸各々に沿ってスライド可能に支持する。基台１３３には寝台駆動装置１３５が収容される。寝台駆動装置１３５は、撮像制御回路３１からの制御を受けて天板１３１を移動する。寝台駆動装置１３５としては、例えば、サーボモータやステッピングモータ等の如何なるモータが用いられても良い。
【００２２】
位置検出器１９は、磁気共鳴イメージングシステム１に含まれる各種機器の位置を検出する。当該位置の検出対象の機器としては、架台１１、寝台１３、移動式スクリーン装置１５及び他の機器の何れでも良い。例えば、位置検出器１９は、寝台１３又は移動式スクリーン装置１５に含まれる天板１３１、移動台車６１、スクリーン６３、支持アーム６５及び反射板６７等の各種機器の位置を検出し、検出された位置に関するデジタルの電気信号（以下、位置検出信号と呼ぶ）を出力する。なお、位置検出器１９により検出される位置とは、位置そのものだけでなく、位置を規定する角度、距離又は移動量、位置検出器１９による当該機器の検知の有無等の指標も含むものとする。上記位置を検出可能であれば如何なる位置検出器１９も利用可能である。例えば、位置検出器１９としては位置センサや距離センサ、変位センサ、圧力センサ、速度センサ、光センサ、超音波センサ等が利用可能である。位置検出信号は、有線又は無線を介してコンソール２７に供給され、コンソール２７の通信回路３４により映写機制御装置２００に供給される。或いは位置検出信号は、コンソール２７を介さずに映写機制御装置２００に供給されても良い。
【００２３】
撮像制御回路３１は、ハードウェア資源として、ＣＰＵ（Central Processing Unit）あるいはＭＰＵ（Micro Processing Unit）のプロセッサとＲＯＭ（Read Only Memory）やＲＡＭ（Random Access Memory）等のメモリとを有する。撮像制御回路３１は、システム制御回路３８から供給されるパルスシーケンス情報に基づいて、傾斜磁場電源２１、送信回路２３及び受信回路２５を同期的に制御し、当該パルスシーケンス情報に応じたパルスシーケンスで患者Ｐを撮像する。
【００２４】
再構成回路３２は、ハードウェア資源として、ＣＰＵやＧＰＵ（Graphical processing unit）、ＭＰＵ等のプロセッサとＲＯＭやＲＡＭ等のメモリとを有する。再構成回路３２は、受信回路２５からのＭＲ信号に基づいて患者Ｐに関するＭＲ画像を再構成する。例えば、再構成回路３２は、ｋ空間または周波数空間に配置されたＭＲ信号にフーリエ変換等を施して実空間で定義されたＭＲ画像を発生する。なお再構成回路３２は、再構成機能を実現する特定用途向け集積回路（Application Specific Integrated Circuit：ＡＳＩＣ）やフィールド・プログラマブル・ゲート・アレイ（Field Programmable Logic Device：ＦＰＧＡ）、他の複合プログラマブル論理デバイス（Complex Programmable Logic Device：ＣＰＬＤ）、単純プログラマブル論理デバイス（Simple Programmable Logic Device：ＳＰＬＤ）により実現されても良い。
【００２５】
画像処理回路３３は、ハードウェア資源として、ＣＰＵ、ＧＰＵ、ＭＰＵ等のプロセッサとＲＯＭやＲＡＭ等のメモリとを有する。画像処理回路３３は、再構成回路３２により再構成されたＭＲ画像に種々の画像処理を施す。なお画像処理回路３３は、上記画像処理機能を実現するＡＳＩＣやＦＰＧＡ、ＣＰＬＤ、ＳＰＬＤにより実現されても良い。
【００２６】
通信回路３４は、図示しない有線又は無線を介して映写機制御装置２００との間でデータ通信を行う。また、通信回路３４は、図示しないネットワーク等を介して接続されたＰＡＣＳサーバ等の外部装置との間でデータ通信を行っても良い。また、通信回路３４は、位置検出器１９から供給された位置検出信号を映写機制御装置２００に供給しても良い。
【００２７】
表示回路３５は、種々の情報を表示する。例えば、表示回路３５は、再構成回路３２により再構成されたＭＲ画像や画像処理回路３３により画像処理が施されたＭＲ画像を表示する。また、表示回路３５は、映写機１００により映写される映像と同一の映像を表示しても良い。具体的には、表示回路３５は、表示インタフェース回路と表示機器とを有する。表示インタフェース回路は、表示対象を表すデータを映像信号に変換する。表示信号は、表示機器に供給される。表示機器は、表示対象を表す映像信号を表示する。表示機器としては、例えば、ＣＲＴディスプレイや液晶ディスプレイ、有機ＥＬディスプレイ、ＬＥＤディスプレイ、プラズマディスプレイ、又は当技術分野で知られている他の任意のディスプレイが適宜利用可能である。
【００２８】
入力回路３６は、具体的には、入力機器と入力インタフェース回路とを有する。入力機器は、ユーザからの各種指令を受け付ける。入力機器としては、キーボードやマウス、各種スイッチ等が利用可能である。入力インタフェース回路は、入力機器からの出力信号をバスを介してシステム制御回路３８に供給する。なお、入力回路３６は、マウス、キーボードなどの物理的な操作部品を備えるものだけに限らない。例えば、磁気共鳴イメージング装置１０とは別体に設けられた外部の入力機器から入力操作に対応する電気信号を受け取り、受け取った電気信号を種々の回路へ出力するような電気信号の処理回路も入力回路３６の例に含まれる。
【００２９】
主記憶回路３７は、種々の情報を記憶するＨＤＤ（hard disk drive）やＳＳＤ（solid state drive）、集積回路記憶装置等の記憶装置である。また、主記憶回路３７は、ＣＤ−ＲＯＭドライブやＤＶＤドライブ、フラッシュメモリ等の可搬性記憶媒体との間で種々の情報を読み書きする駆動装置等であっても良い。例えば、主記憶回路３７は、ＭＲ画像や磁気共鳴イメージング装置１０の制御プログラム等を記憶する。
【００３０】
システム制御回路３８は、ハードウェア資源として、ＣＰＵあるいはＭＰＵのプロセッサとＲＯＭやＲＡＭ等のメモリとを有する。システム制御回路３８は、磁気共鳴イメージング装置１０の中枢として機能する。具体的には、システム制御回路３８は、主記憶回路３７に記憶されている制御プログラムを読み出してメモリ上に展開し、展開された制御プログラムに従って磁気共鳴イメージング装置１０の各部を制御する。
【００３１】
以下、本実施形態の磁気共鳴イメージング装置１０について詳細に説明する。
【００３２】
まず、図３を参照しながら、本実施形態に係る磁気共鳴イメージングシステム１の設置環境について説明する。図３は、本実施形態に係る磁気共鳴イメージングシステムの設置環境の一例を示す図である。図３に示すように、ＭＲ撮像が行われる検査室３００と検査室３００に隣接する制御室４００とが設けられる。検査室３００には架台１１と寝台１３とが設置されている。架台１１の前方に寝台１３が設けられている。架台１１のボアには移動式スクリーン装置１５が設けられている。検査室３００は、架台１１からの漏洩磁場や外部からの電磁場等を遮蔽可能なシールドルームである。検査室３００には入退室のためのドアＤ１が設けられている。また、検査室３００と制御室４００との間には、検査室３００と制御室４００との間の往来のためのドアＤ２が設けられている。制御室４００にはコンソール２７と映写機１００と映写機制御装置２００とが設置されている。映写機１００は、検査室３００と制御室４００との間の壁５００を隔てて架台１１の後方に設置される。壁５００のうちの、映写機１００から移動式スクリーン装置１５に向かう投影光ＬＰが伝播する部分には当該投影光ＬＰが透過可能な窓５１０が設けられている。窓５１０を介して、制御室４００に設置された映写機１００から検査室３００の移動式スクリーン装置１５に投影光ＬＰを伝播させることができる。制御室４００にも入退室のためのドアＤ３が設けられると良い。
【００３３】
なお、上記のレイアウトは一例であってこれに限定されるものではない。例えば、映写機１００と映写機制御装置２００とコンソール２７とが制御室４００に設置されるとしたが、コンソール２７と映写機制御装置２００とは映写機１００とは異なる別の部屋に設置されても良い。また、映写機１００を磁場による影響を受けない材料で形成できるのであれば、映写機１００を検査室３００に設けても良い。また、検査室３００と制御室４００との他に、傾斜磁場電源２１や受信回路２５を設置するための機械室等が設けられても良い。
【００３４】
次に、図４を参照しながら架台１１の外観について説明する。図４は、本実施形態に係る架台筐体５１の斜視図である。図４に示すように、架台筐体５１には中空形状のボア５３が形成される。架台筐体５１のボア５３の下部には、ボア５３の中心軸Ｚに平行するレール５５が形成されている。レール５５は、天板１３１と移動式スクリーン装置１５との中心軸Ｚに沿うスライドを案内する構造物である。レール５５は、ボア５３に接する架台筐体５１の内壁５７に設けられる。レール５５は、磁気共鳴撮像に利用される磁場に作用しない非磁性材料により形成される。ここで、Ｚ軸に関して寝台側から映写機側に向かう方向を＋Ｚ軸方向に規定し、映写機側から寝台側に向かう方向を−Ｚ軸方向に規定する。
【００３５】
次に図５、図６、図７及び図８を参照しながら移動式スクリーン装置１５の構造について説明する。図５は、本実施形態に係る移動式スクリーン装置１５の斜視図である。図６は、移動式スクリーン装置１５の側面図である。図７は、移動式スクリーン装置１５の正面図である。図８は、連結した移動式スクリーン装置１５と天板１３１との斜視図である。
【００３６】
図５、図６、図７及び図８に示すように、移動式スクリーン装置１５は、移動台車６１、スクリーン６３、支持アーム６５及び反射板６７を有する。移動台車６１は、架台筐体５１の内壁５７に設けられたレール５５に沿って移動する構造体である。移動台車６１の下部には、レール５５における走行性を高めるため、レール５５を転がる車輪（図示せず）が取り付けられている。なお、移動台車６１がレール５５を走行可能であれば、必ずしも車輪が設けられる必要は無く、レール５５に接触する面が低摩擦係数を有する材料により形成されれば良い。移動台車６１とレール５５とは、移動台車６１がボア５３の寝台１３側（−Ｚ側）の端部から映写機１００側（＋Ｚ側）の端部まで移動可能に形成される。移動台車６１の底面は、レール５５に嵌合可能な形状を有すると良い。移動台車６１とレール５５とが係合することにより、移動台車６１がボア５３の端部に配置された状態において外部から架台１１を見た場合、レール５５を目立たなくさせることができる。移動台車６１は、スクリーン６３と支持アーム６５とを支持する。移動台車６１は、樹脂等の磁場に作用しない非磁性材料により形成される。
【００３７】
図５に示すように、移動台車６１には天板１３１に連結するための連結部６９が形成されている。連結部６９により、図８に示すように、移動台車６１と天板１３１とが連結する。天板１３１の前方部（＋Ｚ軸方向側）には患者固定具１３７が取り付けられている。患者固定具１３７は、天板１３１に載置された患者Ｐの頭部を固定する。患者固定具１３７は、天板１３１に仰向けに載置された患者Ｐの視界を遮ることのなく後頭部を覆うことが可能なように湾曲形状を有している。すなわち、患者固定具１３７の前頭部側は開放されている。よって患者固定具１３７は、頭部全体を覆う固定部に比して、患者Ｐの閉塞感を軽減し、また、患者Ｐの視野の狭窄を軽減することができる。患者固定具１３７は、例えば、上記形状を有する金型を用いて樹脂等の非磁性材料により一体的に成型される。
【００３８】
図５、図６、図７及び図８に示すように、スクリーン６３は、移動台車６１に立設されている。スクリーン６３には図示しない映写機１００からの映像が投影される。スクリーン６３は、移動台車６１に対して傾き可能に設けられている。具体的には、移動台車６１に設けられた傾動機構（図示せず）により傾動可能に設けられている。移動台車６１の表面に対するスクリーン６３の傾き角度を調節することにより、スクリーン６３は移動台車６１の表面に対して垂直又は所定の傾斜角度で保持される。上記の通り、映写機１００は、スクリーン６３を挟んで寝台１３とは反対側に配置される。ここで、スクリーン６３の映写機１００側の面を裏面、寝台１３側の面を表面と呼ぶことにする。表面に映像を映し出すため、スクリーン６３は半透明の材料で形成されると良い。このような半透明の材料としては、半透明のプラスチックや磨りガラス等が用いられると良い。スクリーン６３が半透明材料により形成されることにより、映写機１００から射出された投影光はスクリーンの裏面に照射され、投影光に対応する映像が表面に映し出される。これにより患者Ｐ等は、寝台１３側から、表面に映し出された映像を見ることができる。スクリーン６３は、平面形状を有する型式であっても曲面形状を有する型式であっても良い。曲面形状を有する場合、凹面が寝台１３側を向く、すなわち、表面を成すように配置されると良い。凹面が寝台１３側を向くことにより、天板１３１に載置された患者Ｐの頭部の後方周辺をスクリーン６３で覆うことが可能となる。これにより患者Ｐの視野をスクリーン６３に映し出された映像で満たし、映像に没入させることが可能となる。
【００３９】
図９は、ボア５３内に配置されたスクリーン６３の模式的な正面図である。図９に示すように、スクリーン６３は、架台筐体５１のボア５３に接する内壁５７の径ＲＢよりも小さい外径ＲＳを有する。このように外径ＲＳを内径ＲＢよりも小さく設計することにより、移動式スクリーン装置１５をボア５３内に挿入することができる。なお、ボア５３内には架台１１に設けられた換気ファン（図示せず）から風が流れている。スクリーン６３の縁と内壁５７との間に隙間Ｇ１が設けられることにより、換気ファンから送り出される風がスクリーン６３により遮られることを防止することができる。外径ＲＳとしては、例えば、内径ＲＢよりも１０ｍｍから５０ｍｍ小さく設計されると良い。換言すれば、隙間Ｇ１は、１０ｍｍから５０ｍｍに設計されると良い。
【００４０】
図５、図６、図７及び図８に示すように、支持アーム６５は移動台車６１に取り付けられる。後述するように、支持アーム６５は、Ｚ軸方向に関してスライド可能に移動台車６１に取り付けられている。支持アーム６５は、反射板６７をスクリーン６３の表面側の空間に配置するように支持する。反射板６７は、移動台車６１と天板１３１とが連結されている状態において、天板１３１に載置された患者Ｐの頭部にぶつからない程度に、移動台車６１の表面から離間して支持アーム６５により支持される。支持アーム６５は、架台１１の外部からスクリーン６３を見た場合に当該外部観察者の視界を遮らないような形状を有している。当該外部観察者の視界を遮らないため、支持アーム６５は、図５、図６、図７及び図８に示すように、スクリーン６３の輪郭に沿った円弧部分を有する半環形状又は半鞍形状を有すると良い。この場合、支持アーム６５の両端が移動台車６１の側部に取り付けられ、支持アーム６５の円弧部分がスクリーン６３の表面側の空間に位置するように、支持アーム６５が移動台車６１に取り付けられる。なお支持アーム６５の形状は上記の半円環形状又は半鞍形状に限定されず、反射板６７をスクリーン６３の表面側の空間に配置可能であれば如何なる形状を有していても良い。例えば、支持アーム６５は、略棒形状を有する一対のアームにより構成されても良い。この場合、当該一対のアームの一端が移動台車６１の両側部に取り付けられ、他端に反射板６７が取り付けられると良い。
【００４１】
図５、図６、図７及び図８に示すように、反射板６７は、支持アーム６５の略最上部に設けられている。反射板６７は、スクリーン６３の表面に映し出された映像を反射する。反射板６７は、非磁性材料により形成され、対象を光学的に反射可能であれば如何なる素材により形成されても良い。例えば、反射板６７としては、アクリルにアルミ蒸着処理を施した鏡や誘電体膜を付着させたハーフミラー等が用いられれば良い。患者固定具１３７に頭部が配置された患者Ｐは、表面に投影された映像を、反射板６７を介して見ることができる。
【００４２】
反射板６７は、患者Ｐにより反射板６７の角度を手動で調整するために、支持アーム６５に回転可能に設けられている。具体的には、支持アーム６５に設けられた回転機構（図示せず）により回転軸ＲＲ１回りに回転可能に設けられている。回転軸ＲＲ１は、例えば、スクリーン６３の表面に対する反射板６７の向きを調節可能なようにＸ軸に平行に設けられる。より詳細には、支持アーム６５は、少なくとも、後述する第１の映写形式のための第１の角度と第２の映写形式のための第２の角度との間で切替え可能に設けられると良い。第１の映写形式は、架台１１外から反射板６７を介さずにスクリーン６３の映像を見る形式である。そのため、第１の映写形式における反射板６７の第１の角度は、架台１１外にいる患者Ｐ等の視界を遮らない角度、例えば、略水平に設定されると良い。第２の映写形式はボア５３内において反射板６７を介して映像を見る形式である。そのため、第２の映写形式における反射板の第２の角度は、観察者たる患者Ｐの体格等に応じて、水平と垂直との間の任意の角度に設定されると良い。
【００４３】
反射板６７のＺ軸に関する位置を調節するため、支持アーム６５のスライド機構７１が移動台車６１に設けられると良い。図１０は、図６の支持アーム６５がＺ軸に関してスライドされた移動式スクリーン装置１５の側面を示す図である。図６と図１０とに示すように、スライド機構７１は、支持アーム６５のＺ軸に沿うスライドを案内するガイド６１１が移動台車６１に形成されている。ガイド６１１は、支持アーム６５とスクリーン６３とへの接触を回避するため、移動台車６１の両側面においてＺ軸に沿って設けられている。ガイド６１１は如何なる形態により実現されても良いが、例えば、移動台車６１の側面にＺ軸に沿って設けられた空隙により実現される。図６と図１０とに示すように、支持アーム６５の摺動性を高めるため、支持アーム６５のうちのガイド６１１に面する基部には車輪６５１が設けられると良い。スライド機構７１が設けられることにより、医師や技師、看護士等の医療従事者及び患者Ｐ等が支持アーム６５をＺ軸方向に押したり引いたりすることにより反射板６７をスクリーン６３に対して接近又は離間することができる。これにより、反射板６７のＺ軸方向に関する位置を調節することができる。
【００４４】
なお上記の説明においてスライド機構７１は、移動台車６１に設けられたガイド６１１と支持アーム６５に設けられた車輪６５１とにより実現されるものとした。しかしながら、本実施形態はこれに限定されない。本実施形態に係るスライド機構７１としては、支持アーム６５を移動台車６１に対して相対的にスライド可能であれば如何なる機構であっても良い。例えば、支持アーム６５にＺ軸に沿うガイドが設けられ、当該ガイドを走行する車輪が移動台車６１に設けられても良い。また、スライド機構７１は、ボールネジやスライドレール等により実現されても良い。
【００４５】
図１１は、架台１１のボア５３に配置された移動式スクリーン装置１５の簡易な側面図である。図１１に示すように、移動式スクリーン装置１５の移動台車６１がレール５５にスライド可能に設けられている。典型的には、移動式スクリーン装置１５には駆動装置が搭載されていない。移動式スクリーン装置１５は、寝台駆動装置１３５による天板１３１のスライドに連動してスライドする。なお、移動式スクリーン装置１５は、患者Ｐや医療従事者等により押したり引いたりすることによりＺ軸に関してスライドすることも可能である。
【００４６】
上記の構成により本実施形態に係る医用画像診断装置１０は、移動式スクリーン装置１５がボア５３の寝台側端部に配置された状態において移動式スクリーン装置１５に映像を投影する第１の映写形式と、天板１３１と移動式スクリーン装置１５とが連結した状態において移動式スクリーン装置１５に映像を投影する第２の映写形式とを実現することができる。
【００４７】
図１２は、第１の映写形式における移動式スクリーン装置１５を架台１１の側方から示す図である。図１３は、第１の映写形式における移動式スクリーン装置１５を架台１１の正面から示す図である。図１２と図１３とに示すように、第１の映写形式において移動式スクリーン装置１５は、スクリーン６３がボア５３の寝台側端部に位置するように配置される。第１の映写形式において患者Ｐや医療従事者は、架台筐体５１の外側からスクリーン６３に映し出された映像ＰＩを反射板６７を介さずに見ることとなる。スクリーン６３が寝台側端部に配置されるので、スクリーン６３がボア５３を塞ぎ、患者Ｐがボア５３の内部を見ることを防止することができる。また、スクリーン６３に映像ＰＩが映し出されているので、ボア５３が検査空間であるという患者Ｐの認識を鈍らせ、ボア５３内へ入り込むことへの恐怖感を和らげることができる。以下、第１の映写形式のための架台１１、寝台１３及び移動式スクリーン装置１５の配置形態を第１の配置形態と呼ぶことにする。
【００４８】
図１４は、第２の映写形式における移動式スクリーン装置１５を架台１１の側方から示す図である。図１４に示すように、第２の映写形式において患者Ｐは、天板１３１に載置されてボア５３に挿入された状態において、スクリーン６３の表面に映し出された映像を反射板６７を介して見ることとなる。天板１３１と移動式スクリーン装置１５とが連結しているため、移動式スクリーン装置１５のＺ軸方向のスライドに関わらず患者Ｐとスクリーン６３との距離は一定に保たれる。よってスクリーン６３に映し出される映像への没入感を高め、ボア５３内での閉塞感を和らげることができる。以下、第２の映写形式のための架台１１、寝台１３及び移動式スクリーン装置１５の配置形態を第２の配置形態と呼ぶことにする。
【００４９】
位置検出器１９より出力される位置検出信号は、寝台１３及び移動式スクリーン装置１５の位置に関する電気信号であるので第１の配置形態と第２の配置形態との切替に応じてデータ値が変化するといえる。換言すれば、寝台１３及び移動式スクリーン装置１５の位置は、第１の配置形態と第２の配置形態とを判別するための指標として機能する。
【００５０】
上記の通り、第１の映写形式において患者Ｐは反射板６７を介さずに直接的にスクリーン６３に映し出された映像を視認し、第２の映写形式において患者Ｐは反射板６７を介してスクリーン６３に映し出された映像を視認することとなる。よって第１の映写形式と第２の映写形式との間で切替えが行われた場合、患者Ｐからすると映像が反転して見え、患者Ｐが違和感を抱いてしまう。
【００５１】
本実施形態に係る映写機制御装置２００は、第１の映写形式と第２の映写形式との間で切替が行われる場合においても患者に違和感を抱かせないように映写機１００を制御する。
【００５２】
図１５は、本実施形態に係る映写機制御装置２００の構成を示す図である。図１５に示すように、本実施形態に係る映写機制御装置２００は、処理回路２１０、映像記憶回路２２０、通信回路２３０、表示回路２４０、入力回路２５０、主記憶回路２６０及び接続回路２７０を有する。処理回路２１０、映像記憶回路２２０、通信回路２３０、表示回路２４０、入力回路２５０、主記憶回路２６０及び接続回路２７０は、バスを介して互いに通信可能に接続されている。
【００５３】
映像記憶回路２２０は、移動式スクリーン装置１５に投影される映像に関する画像データ（以下、映像データと呼ぶ）を記憶する。映像は、一枚のフレームから構成される静止画であっても良いし、時系列で配列された複数枚のフレームから構成される動画でも良い。以下の説明を具体的に行うため映像は動画であるものとする。例えば、一個の映像を構成する複数のフレームの画像データが一個のファイルとして映像記憶回路２２０に記憶される。本実施形態において映像記憶回路２２０は、第１の映写形式において移動式スクリーン装置１５に投影される映像（以下、第１の映像と呼ぶ）に関する画像データと第２の映写形式において移動式スクリーン装置１５に投影される映像（以下、第２の映像と呼ぶ）に関する画像データとを個別のファイルで記憶する。
【００５４】
通信回路２３０は、図示しない有線又は無線を介してコンソール２７又は他のコンピュータとの間でデータ通信を行う。例えば、通信回路２３０は、当該他のコンピュータから映像に関する画像データを受信する。受信された映像に関する画像データは、映像記憶回路２２０に記憶される。
【００５５】
表示回路２４０は、種々の情報を表示する。例えば、表示回路２４０は、映写機１００に供給される映像信号に対応する映像をリアルタイムで表示する。具体的には、表示回路２４０は、表示インタフェース回路と表示機器とを有する。表示インタフェース回路は、表示対象の映像に関する映像データを映像信号に変換する。映像信号は、表示機器に供給される。表示機器は、表示対象の映像信号を表示する。表示機器としては、例えば、ＣＲＴディスプレイや液晶ディスプレイ、有機ＥＬディスプレイ、ＬＥＤディスプレイ、プラズマディスプレイ、又は当技術分野で知られている他の任意のディスプレイが適宜利用可能である。
【００５６】
入力回路２５０は、具体的には、入力機器と入力インタフェース回路とを有する。入力機器は、ユーザからの各種指令を受け付ける。入力機器としては、キーボードやマウス、各種スイッチ等が利用可能である。入力インタフェース回路は、入力機器からの出力信号をバスを介して処理回路２１０に供給する。
【００５７】
主記憶回路２６０は、種々の情報を記憶するＨＤＤ（hard disk drive）やＳＳＤ（solid state drive）、集積回路記憶装置等の記憶装置である。また、主記憶回路２６０は、ＣＤ−ＲＯＭドライブやＤＶＤドライブ、フラッシュメモリ等の可搬性記憶媒体との間で種々の情報を読み書きする駆動装置等であっても良い。例えば、主記憶回路２６０は、本実施形態に係る映像投影プログラム等を記憶する。
【００５８】
接続回路２７０は、図示しない有線又は無線を介して映写機１００に映像信号を供給するインタフェース回路である。接続回路２７０は、映写機１００の映写方式に応じてアナログの映像信号を供給しても良いし、デジタルの映像信号を供給しても良い。以下、本実施形態に係る映写機１００に供給される映像信号についてアナログの映像信号とデジタルの映像信号とを区別せず単に映像信号と呼ぶことにする。
【００５９】
処理回路２１０は、ハードウェア資源として、ＣＰＵやＧＰＵ、ＭＰＵ等のプロセッサとＲＯＭやＲＡＭ等のメモリとを有する。処理回路２１０は、映写機制御装置２００の中枢として機能する。処理回路２１０は、主記憶回路２６０に記憶されている映像投影プログラムを読み出してメモリ上に展開し、展開された映写投影プログラムを実行する。映写投影プログラムの実行により処理回路２１０は、位置情報取得機能２１１、判定機能２１３、映像処理機能２１５及び映像出力機能２１７を実現する。
【００６０】
位置情報取得機能２１１の実行により処理回路２１０は、位置検出器１９から直接的に又はコンソール２７を介して間接的に供給された位置検出信号を取得する。
【００６１】
判定機能２１３の実行により処理回路２１０は、位置情報取得機能２１１により取得された位置検出信号に基づいて第１の配置形態から第２の配置形態への切替えが行われたか否かを判定する。
【００６２】
映像処理機能２１５の実行により処理回路２１０は、投影対象の映像に関する画像データに画像処理や再生処理等の各種処理を施す。画像処理として処理回路２１０は、例えば、鏡像反転処理や任意角回転処理等を行う。具体的には、処理回路２１０は、鏡像反転処理において、映像に関する画像データを左右又は上下に反転させる。任意角回転処理において処理回路２１０は、映像に関する画像データをその中心点回りに所定の角度だけ回転させる。なお、左右反転とは、Ｘ軸方向に関する反転を指し、上下反転とは、Ｙ軸方向に関する反転を指すものとする。また、画像処理として処理回路２１０は、色反転処理や拡大縮小処理、切り出し処理等の任意の画像処理を行っても良い。再生処理として処理回路２１０は、フレーム検索処理等を行う。具体的には、処理回路２１０は、映像に関する画像データを構成する複数のフレームの中から、再生を開始するフレームを特定する。また、再生処理として処理回路は、再生速度変更処理や再生方向変更処理等を行っても良い。
【００６３】
映像出力機能２１７の実行により処理回路２１０は、判定機能２１３により第２の配置形態への切替えが行われていないと判定した場合、第１の映像信号を映写機１００に出力し、判定機能２１３により第２の配置形態への切替えが行われたと判定した場合、第２の映像信号を映写機１００に出力する。第１の映像信号とは、第１の映写形式において移動式スクリーン装置１５に投影される映像（以下、第１の映像と呼ぶ）に関する映像信号であり、第２の映像信号とは、第２の映写形式において移動式スクリーン装置１５に投影される映像（以下、第２の映像と呼ぶ）に関する映像信号である。第１の映像と第２の映像とは、同一のコンテンツであっても良いし異なるコンテンツであっても良い。なお、本実施形態においてコンテンツとは、映像の実体的な情報（中身）を意味する。例えば、オリジナルの映像と当該オリジナルの映像に対して上記画像処理を施すことにより生成された二次的な映像とは、実体的な情報が共通するため、同一のコンテンツを有するものとする。更に、例えば、第１の映像と第２の映像との各々において、同じ被写体が映し出されており、上記画像処理により当該被写体が第１の映像と第２の映像とで異なって見えるように投影される場合であっても、第１の映像と第２の映像とは同一のコンテンツを有するとみなす。
【００６４】
次に、本実施形態に係る映像投影プログラムに従い処理回路２１０により実行される映像投影処理について説明する。図１６は、本実施形態に係る映像投影プログラムに従い処理回路２１０により実行される映像投影処理の典型的な流れを示す図である。映像投影プログラムは、入力回路２５０を介した医療従事者等による開始指示を受けて処理回路２１０により主記憶回路３７から読み出され実行される。なお、位置検出器１９は、映像投影処理の開始以前から寝台１３又は移動式スクリーン装置１５に含まれる特定の構成物の位置を繰り返し検出しているものとする。以下の映像投影処理の説明において位置検出対象の構成物は、天板１３１、反射板６７又は支持アーム６５であるとする。
【００６５】
まず処理回路２１０は、第１の映像の投影の開始指示がなされることを待機する（ステップＳ１）。第１の映像の投影は、移動式スクリーン装置１５がボア５３の寝台側端部に配置されているのであれば、如何なるタイミングでも開始可能である。しかしながら、患者Ｐにボア５３を意識させないという目的のためには、患者Ｐが検査室３００に入室する前に開始されると良い。投影開始は、例えば、入力回路２５０を介した医療従事者等による開始指示を受けて処理回路２１０により受け付けられる。
【００６６】
第１の映像の投影の開始指示がなされると処理回路２１０は、映像出力機能２１７を実行する（ステップＳ２）。ステップＳ２において処理回路２１０は、第１の映像信号を接続回路２７０を介して映写機１００に出力する。具体的には、処理回路２１０は、まず映像記憶回路２２０から第１の映像の画像データを読み出す。そして処理回路２１０は、読み出した第１の映像の画像データをフレーム単位で第１の映像信号に変換し、第１の接続回路２７０を介して映写機１００にフレーム単位に時系列で出力する。第１の映像信号を受けた映写機１００は、当該第１の映像信号を移動式スクリーン装置１５に投影する。これにより架台外１１の外側にいる患者Ｐや医療従事者は、移動式スクリーン装置１５のスクリーン６３に投影された映像を見ることができる。
【００６７】
ステップＳ２が行われると処理回路２１０は、位置情報取得機能２１１を実行する（ステップＳ３）。ステップＳ３において処理回路２１０は、位置検出器１９から送信された天板１３１、反射板６７又は支持アーム６５の位置検出信号を取得する。
【００６８】
ステップＳ３が行われると処理回路２１０は、判定機能２１３を実行する（ステップＳ４）。ステップＳ４において処理回路２１０は、天板１３１、反射板６７又は支持アーム６５の位置検出信号に基づいて、天板１３１、反射板６７又は支持アーム６５が、第１の配置形態から第２の配置形態への切替えが行われたか否かを判定する。天板１３１、反射板６７又は支持アーム６５が第２の配置形態に切替えられていないと判定した場合（ステップＳ４：ＮＯ）、処理回路２１０は、まだ天板１３１、反射板６７又は支持アーム６５が第１の配置形態にあると推定し、第２の配置形態への切替えが行われるまでステップＳ２、Ｓ３及びＳ４を繰り返す。ここで、天板１３１、反射板６７及び支持アーム６５の各々について第１の配置形態と第２の配置形態との切替えについて説明する。
【００６９】
図１７は、第１の配置形態にある天板１３１を示す図である。図１８は、第２の配置形態にある天板１３１を示す図である。図１７に示すように、第１の配置形態は患者等が架台１１の外側から移動式スクリーン装置１５に映し出された映像を見るための形態であるので、天板１３１には患者が載置されておらず、天板１３１の高さＨＴはボア５３内に挿入できる高さ（以下、挿入可能高さと呼ぶ）ＨＲよりも低い。図１８に示すように、第２の配置形態は、ボア５３内において天板１３１に載置された患者が移動式スクリーン装置１５に映し出された映像を反射板６７を介して見るための形態であるので、天板１３１の高さＨＴは挿入可能高さＨＲと同一又は高い。よって天板１３１が第１の配置形態にあるか第２の配置形態にあるかを判別するための基準値は挿入可能高さＨＲに設定されると良い。天板１３１の高さＨＴの位置検出器１９としては、例えば、光学式又は超音波式等の位置センサや天板１３１を昇降するためのモータに取り付けられたロータリエンコーダ、天板１３１を撮影する光学式カメラ等が適当である。
【００７０】
ステップＳ４において処理回路２１０は、位置検出器１９からの位置検出信号に基づいて天板１３１の高さＨＴを繰り返し計測する。そして処理回路２１０は、所定の時間間隔毎に、天板１３１の高さＨＴと挿入可能高さＨＲとを比較し、高さＨＴが高さＨＲよりも低い場合、天板１３１が第１の配置形態にある、すなわち、第１の配置形態から第２の配置形態への切替えが行われていないと判定し、高さＨＴが高さＨＲと同じ又は高い場合、天板１３１が第２の配置形態にある、すなわち、第１の配置形態から第２の配置形態への切替えが行われたと判定する。
【００７１】
なお、上記の判定方法においては、天板１３１の高さＨＴが挿入可能高さＨＲに一致しているか否かを所定の時間間隔毎に判定するものとした。しかしながら、本実施形態はこれに限定されない。例えば、高さＨＴが挿入可能高さＨＲに一致したこと、すなわち、第１の配置形態から第２の配置形態への切替えが位置検出器１９により検出されても良い。この場合、位置検出器１９は、光源と光検出器との組合せからなる光学式センサにより実現可能である。例えば、光源が天板１３１の架台側端部に設けられ、光検出器が移動台車６１の寝台側端部に設けられると良い。天板１３１の架台側端部が移動台車６１の寝台側端部に近接しているとき当該光学式センサは、ＯＮ信号を出力し、離隔しているとき当該光学式センサは、ＯＦＦ信号を出力する。すなわち、処理回路２１０は、ＯＮ信号が出力されている場合、天板１３１が第１の配置形態にあり、ＯＦＦ信号が出力されている場合、天板１３１が第２の配置形態にあると判定することができる。換言すれば、ＯＮ信号からＯＦＦ信号への出力の切替えが行われた場合、処理回路２１０は、第１の配置形態から第２の配置形態への切替えが行われたと判定する。当該構成により、天板１３１が挿入可能高さＨＲに到達することを契機として、第１の映像から第２の映像に切替えることができる。なお光源と光検出器との配置は上記のみに限定されず互いに入れ替わっても良い。
【００７２】
図１９は、第１の配置形態にある反射板６７を示す図である。図２０は、第２の配置形態にある反射板６７を示す図である。図１９に示すように、第１の配置形態は患者等が架台１１の外側から移動式スクリーン装置１５に映し出された映像を見るための形態であるので、反射板６７の回転軸ＲＲ１回りの回転角度ＡＭは、支持アーム６５により略水平に保持されている。この略水平に対応する回転軸ＲＲ１回りの反射板６７の回転角度を略水平角度ＡＲと呼ぶことにする。図２０に示すように、第２の配置形態は、ボア５３内において天板１３１に載置された患者が移動式スクリーン装置１５に映し出された映像を反射板６７を介して見るための形態であるので、反射板６７の回転角度ＡＭは略水平角度ＡＲから傾いている。よって反射板６７が第１の配置形態にあるか第２の配置形態にあるかを判別するための基準値は略水平角度ＡＲに設定されると良い。反射板６７の回転角度ＡＭを検出するための位置検出器１９としては、例えば、回転軸ＲＲ１に取り付けられたロータリエンコーダ等が適当である。
【００７３】
ステップＳ４において処理回路２１０は、位置検出器１９からの位置検出信号に基づいて反射板６７の回転角度ＡＭを繰り返し計測する。そして処理回路２１０は、所定の時間間隔毎に、反射板６７の回転角度ＡＭと略水平角度ＡＲとを比較し、回転角度ＡＭが略水平角度ＡＲに一致している場合、反射板６７が第１の配置形態にある、すなわち、第１の配置形態から第２の配置形態への切替えが行われていないと判定し、回転角度ＡＭが略水平角度ＡＲに一致していない場合、反射板６７が第２の配置形態にある、すなわち、第１の配置形態から第２の配置形態への切替えが行われたと判定する。
【００７４】
なお、上記の判定方法においては、反射板６７の回転角度ＡＭが略水平角度ＡＲに一致しているか否かを所定の時間間隔毎に判定するものとした。しかしながら、本実施形態はこれに限定されない。例えば、回転角度ＡＭが略水平角度ＡＲから逸れたこと、すなわち、第１の配置形態から第２の配置形態への切替えが位置検出器１９により検出されても良い。この場合、位置検出器１９は、回転軸ＲＲ１に取り付けられたロータリエンコーダ等により実現可能である。ロータリエンコーダは、反射板６７が回転軸ＲＲ１回りに所定角度回転する毎にパルス信号（位置検出信号）を出力する。すなわち、処理回路２１０は、映像投影処理の開始からパルス信号が出力されるまでの間、反射板６７が第１の配置形態にあると判定し、パルス信号が出力されたことを契機として、反射板６７が第１の配置形態から第２の配置形態に切替えられたと判定することができる。当該構成により、患者Ｐが天板１３１に載置され反射板６７の角度を調節するために反射板６７をＲＲ１軸回りに回転することを契機として、第１の映像から第２の映像に切替えることができる。
【００７５】
図２１は、第１の配置形態にある支持アーム６５を示す図である。図２２は、第２の配置形態にある支持アーム６５を示す図である。図２１に示すように、第１の配置形態は患者等が架台１１の外側から移動式スクリーン装置１５に映し出された映像を見るための形態であるので、支持アーム６５は、移動台車６１に格納されている。支持アーム６５が移動台車６１に格納されているときの支持アーム６５の特徴点のＺ軸方向の位置ＰＡを格納位置ＰＲと呼ぶことにする。なお、特徴点は支持アーム６５の如何なる部位でも良いが、例えば、図２１と図２２とに示すように、支持アーム６５の端部であるとする。図２２に示すように、第２の配置形態は、ボア５３内において天板１３１に載置された患者が移動式スクリーン装置１５に映し出された映像を反射板６７を介して見るための形態であるので、支持アーム６５のＺ軸方向の位置ＰＡは格納位置ＰＲから寝台側に向けて引き出されている。よって支持アーム６５の位置ＰＡが格納位置ＰＲに位置する場合、支持アーム６５は第１の配置形態にあり、支持アーム６５の位置ＰＡが格納位置ＰＲに位置しない場合、支持アーム６５は第２の配置形態にあると判別できる。よって支持アーム６５が第１の配置形態にあるか第２の配置形態にあるかを判別するための基準値は格納位置ＰＲに設定されると良い。支持アーム６５の特徴点の位置ＰＡを検出するための位置検出器１９としては、例えば、当該特徴点に取り付けられた位置センサ等が適当である。
【００７６】
ステップＳ４において処理回路２１０は、位置検出器１９からの位置検出信号に基づいて支持アーム６５の位置ＰＡを繰り返し計測する。そして処理回路２１０は、所定の時間間隔毎に、支持アーム６５の位置ＰＡと格納位置ＰＲとを比較し、位置ＰＡが格納位置ＰＲに一致している場合、支持アーム６５が第１の配置形態にある、すなわち、第１の配置形態から第２の配置形態への切替えが行われていないと判定し、位置ＰＡが格納位置ＰＲに一致していない場合、支持アーム６５が第２の配置形態にある、すなわち、第１の配置形態から第２の配置形態への切替えが行われたと判定する。
【００７７】
なお、上記の判定方法においては、支持アーム６５の位置ＰＡが格納位置ＰＲに一致しているか否かを所定の時間間隔毎に判定するものとした。しかしながら、本実施形態はこれに限定されない。例えば、位置ＰＡが格納位置ＰＲから逸れたことが位置検出器１９により検出されても良い。この場合、位置検出器１９は、光源と検出器との組合せからなる光学式センサにより実現可能である。例えば、光源が支持アーム６５の当該特徴点に設けられ、移動台車６１の格納位置ＰＲに光検出器が設けられると良い。当該特徴点が格納位置ＰＲに位置しているとき当該光学式センサは、ＯＮ信号を出力し、格納位置ＰＲに位置していないとき当該光学式センサは、ＯＦＦ信号を出力する。すなわち、処理回路２１０は、ＯＮ信号が出力されている場合、支持アーム６５が第１の配置形態にあり、ＯＦＦ信号が出力されている場合、支持アーム６５が第２の配置形態にあると判定することができる。当該構成により、患者Ｐが天板１３１に載置され反射板６７のＺ軸方向の位置を調節するために支持アーム６５を引き出すことを契機として、第１の映像から第２の映像に切替えることができる。なお光源と検出器との配置は上記のみに限定されず、移動台車６１の格納位置ＰＲにおいて支持アーム６５を挟んで互いに対向する位置に光学式センサが設けられても良い。
【００７８】
なお、天板１３１、反射板６７及び支持アーム６５の何れか一つに位置検出器１９が取り付けられても良いし、複数又は全てに検出器１９が取り付けられても良い。天板１３１、反射板６７及び支持アーム６５の何れか一つに検出器１９が取り付けられる場合、処理回路２１０は、位置検出器１９が取り付けられた機器１３１、６５及び６７の何れか一つが第２の配置形態に切替えられたと判定されるとステップＳ５に移行すると良い。この場合、機器１３１、６５及び６７のうちの複数又は全てに位置検出器１９が取り付けられた場合に比して、より迅速に第２の映写形式へ切替えることができる。天板１３１、反射板６７及び支持アーム６５のうちの複数又は全てに検出器１９が取り付けられた場合、検出器１９が取り付けられた全て又は所定数の機器１３１、６５及び６７が第２の配置形態に切替えられたと判定されるとステップＳ５に移行すると良い。この場合、機器１３１、６５及び６７のうちの何れか一つに位置検出器１９が取り付けられた場合に比して、より正確に第２の配置形態への切替えを検出することができる。
【００７９】
ステップＳ４において天板１３１、反射板６７又は支持アーム６５が、第１の配置形態から第２の配置形態に切替えられたと判定された場合（ステップＳ４：ＹＥＳ）、処理回路２１０は，映像出力機能２１７を実行する（ステップＳ５）。ステップＳ５において処理回路２１０は、第２の映像に関する第２の映像信号を接続回路２７０を介して映写機１００に出力する。具体的には、まず処理回路２１０は、第１の映像信号の出力を終了し、第２の映像に関する画像データを映像記憶回路２２０から読み出す。読み出される第２の映像に関する画像データは、第１の映像から第２の映像への切替を即時的に行うため、予め設定されると良い。読み出し対象の第２の映像に関する画像データを予め設定しておくことにより、自動的に第２の映像に関する画像データを読み出し第１の映像から第２の映像への切替えを滑らかに行うことが可能となる。なお、読み出される第２の映像は、ステップＳ５において入力回路３６を介して設定されても良い。第２の映像に関する画像データが読み出されると処理回路２１０は、読み出した第２の映像の画像データを構成する複数のフレームをフレーム単位で時系列に第２の映像信号に変換して映写機１００に出力する。ここで、ステップＳ５について詳細に説明する。
【００８０】
上記の通り、第１の映写形式において患者Ｐは反射板６７を介さずに映像を見ており、第２の映写形式において患者Ｐは反射板６７を介して映像を見ているので、第１の映像と第２の映像とが同一コンテンツの場合、第２の映像を見た患者Ｐは映像の反転を感じることとなる。処理回路２１０は、患者Ｐが第２の映像を見たときに映像の反転を感じさせないような態様で第２の映像信号を出力する。具体的には、ステップＳ５において処理回路２１０は、第１の映像が左右に反転した映像を第２の映像に設定する。
【００８１】
図２３は、互いに左右反転の関係にある第１の映像と第２の映像とを模式的に示す図である。図２３に示すように、第１の映像と第２の映像とは花に関する同一のコンテンツであり、第１の映像と第２の映像とは互いに左右反転の関係にある。第１の映像に対して左右に反転された第２の映像の画像データは、例えば、処理回路２１０による映像処理機能２１５の実行により生成される。具体的には、処理回路２１０は、第１の映像の画像データを構成する複数のフレーム各々について左右を反転することにより、左右反転された複数のフレームから構成される第２の映像の画像データを生成する。第２の映像の画像データは、例えば、患者が天板１３１に載置される前段階等、ステップＳ５に移行する前に生成されると良い。生成された第２の映像の画像データは、映像記憶回路２２０に記憶される。この場合、ステップＳ５において処理回路２１０は、映像記憶回路２２０に記憶された第２の映像の画像データを読み出し、読み出した第２の映像の画像データをフレーム単位に時系列で第２の映像信号に変換し、接続回路２７０を介して映写機１００にリアルタイムで出力する。映写機１００は、第２の映像信号に対応する第２の映像をフレーム単位で時系列に移動式スクリーン装置１５に投影する。反射板６７を介して第２の映像を見る患者Ｐは、第１の映像と同じ向きの第２の映像を見ることが出来る。
【００８２】
左右反転は、第２の映像信号の出力時にリアルタイムで行われても良い。例えば、ステップＳ５において処理回路２１０は、第１の映像の画像データを映像記憶回路２２０から読み出し、読み出した第１の映像の画像データを構成する複数のフレームを時刻順に左右反転し、左右反転されたフレームをリアルタイムで第２の映像信号に変換し、接続回路２７０を介して映写機１００に出力する。これにより、反転された第２の映像の画像データを予め生成することなく当該第２の映像を映写機１００に出力することが可能となる。
【００８３】
上記の例において反転は左右反転であるとしたが、処理回路２１０は、患者の天板１３１上で寝ている姿勢に応じた方向に第１の映像を回転又は反転させても良い。例えば、患者が天板１３１に側臥位で寝ている場合、処理回路２１０は、第１の映像を画像中心点回りに９０度回転させることにより第２の映像を生成すると良い。また、スクリーン６３と患者Ｐとの間に介在する反射板６７の配置によっては、処理回路２１０は、第１の映像を上下反転させることにより第２の映像を生成しても良い。
【００８４】
第２の映像と第１の映像とが同一のコンテンツの場合、第１の映写形式から第２の映写形式に切替えられても、第１の映像が第２の映像として引き続き移動式スクリーン装置１５に投影される。患者Ｐは、第１の映写形式から第２の映写形式への切替え時において天板１３１への載置等の準備をする必要があるため、移動式スクリーン装置１５に投影された映像を見ることができない時がある。この場合、患者Ｐは第２の映像を見たときに第１の映像と第２の映像とに時間的隔たりを感じることとなる。
【００８５】
そのため本実施形態に係る処理回路２１０は、第２の映像と第１の映像とが同一のコンテンツの場合、患者Ｐが第２の映像と第１の映像との時間的隔たりを感じないように第２の映像の再生開始フレームを調節する。
【００８６】
図２４は、第２の映像の再生開始フレームの調節処理を示す図である。第１の映像と第２の映像とは同一コンテンツであり、同一のフレームの映像信号は同一内容を示すものとする。図２４に示すように、第１の映写形式において処理回路２１０は、第１の映像に関する第１の映像信号をフレーム単位に時系列で出力する。第１の配置形態から第２の配置形態への切替えが判定された場合（ステップＳ４：ＹＥＳ）、処理回路２１０は、映写機１００への出力信号を第１の映像信号から第２の映像信号に切替える。
【００８７】
具体的には、第１の配置形態から第２の配置形態への切替えが判定された場合（ステップＳ４：ＹＥＳ）、処理回路２１０は、当該切替え時に出力された第１の映像のフレーム番号Ｆ１を特定する。そして処理回路２１０は、第２の映像に関する画像データを構成する複数のフレームを探索し、特定されたフレーム番号Ｆ１よりも所定枚数巻き戻されたフレーム番号Ｆ２を特定する。特定されたフレーム番号Ｆ２が第２の映像の再生開始フレームに設定される。巻き戻すフレーム枚数は、患者Ｐが移動式スクリーン装置１５から目を離していると予測される時間に応じて任意に設定されると良い。そして処理回路２１０は、第２の映像信号を、フレーム番号Ｆ２から時系列で映写機１００に出力する。これにより切替え時のフレームから所定枚数巻き戻したフレームから第２の映像が移動式スクリーン装置１５に投影されるので、患者は、時間的隔たりを感じることなく第２の映像を見ることができる。
【００８８】
なお、第２の映像は、第１の映像と同一のコンテンツであり、第１の映像に対して反転又は回転された映像のみに限定されない。第１の映像と第２の映像とは異なるコンテンツであっても良い。
【００８９】
図２５は、異なるコンテンツに関する第１の映像と第２の映像とを模式的に示す図である。図２５に示すように、第１の映像は花に関するコンテンツであり、第２の映像はケーキに関するコンテンツである。第２の映像が第１の映像とは異なるコンテンツを有する場合、患者は、第２の映像を見ても、第２の映像が第１の映像に対して左右反転していることを感じることはない。よって第２の映像信号が第１の映像と異なるコンテンツを有する映像の映像信号であることにより、左右反転に起因する違和感を回避することができる。
【００９０】
ステップＳ５が行われると処理回路２１０は、映像投影の終了指示を待機する（ステップＳ６）。映像投影の終了指示がなされていない場合（ステップＳ６：ＮＯ）、処理回路２１０は、ステップＳ５とステップＳ６とを繰り返し、移動式スクリーン装置１５に第２の映像を投影するための第２の映像信号を映写機１００に繰り返し出力する。映像投影の終了指示は、例えば、医療従事者等による入力回路２５０を介した指示により行われる。例えば、医療従事者は、ＭＲ撮像が終了し、患者が載置された天板１３１がボア５３の外側に退避された後、映像投影の終了指示を入力する。医療従事者等により入力回路２５０を介して終了指示が入力された場合（ステップＳ６：ＹＥＳ）、処理回路２１０は、映写機１００への第２の映像信号の出力を終了する。
【００９１】
以上により、本実施形態に係る映像投影プログラムに従い処理回路２１０により実行される映像投影処理についての説明を終了する。
【００９２】
なお、天板１３１の第２の配置形態への切替えを判別するために天板１３１の高さを検出するための位置検出器１９が設けられるとした。しかしながら、本実施形態はこれに限定されない。例えば、天板１３１のＺ軸方向（水平方向）に関する位置を検出するための位置検出器１９が設けられても良い。天板１３１のＺ軸方向に関する位置は、天板１３１の如何なる特徴点の位置により規定されても良いが、例えば、映写機側端部に規定されると良い。この場合、第１の配置形態と第２の配置形態とを判別するための基準値は、架台筐体５１の寝台側端部のＺ軸方向に関する位置に設定されると良い。
【００９３】
また、位置検出器１９は、スクリーン６３との間の距離を赤外線等を用いて計測する距離センサであっても良い。位置検出器１９は、第１の配置形態における距離と第２の配置形態における距離とが異なるのであれば如何なる位置に設けられても良いが、例えば、映写機１００の近傍に設けられると良い。第１の配置形態と第２の配置形態とを判別するための基準値は、第１の配置形態においてスクリーン６３が寝台側端部に配置されたときの距離に設定されると良い。これにより処理回路２１０は、位置検出器１９からの位置検出信号に基づいて、スクリーン６３がボア５３内に挿入される前段階においては第１の配置形態であると判定し、スクリーン６３がボア５３内に挿入されると第２の配置形態であると判定することができる。
【００９４】
また、処理回路２１０は、第１の映像から第２の映像への切替えを、コンソール２７の入力回路３６を介したＭＲ検査の開始指示を契機として行っても良い。また、処理回路２１０は、ＭＲ検査を構成する各撮像プロトコル間の切替毎に第２の映像を切替えても良い。
【００９５】
上記の説明の通り、本実施形態に係る磁気共鳴イメージングシステム１は、架台１１、寝台１３、移動式スクリーン装置１５及び処理回路２１０を有する。架台１１は、ボア５３が形成された磁気共鳴撮像用の架台である。寝台１３は、天板１３１を移動自在に支持する。移動式スクリーン装置１５は、ボア５３内に配置され、映写機１００からの映像が投影されるスクリーン６３とスクリーン６３に投影された映像を反射する反射板６７と反射板６７を支持する支持アーム６５とを有する。処理回路２１０は、映像出力機能２１７を有する。映像出力機能２１７の実行により処理回路２１０は、第１の配置形態と第２の配置形態との間の切替えが行われる前において、第１の映像信号を映写機１００に出力し、切替えが行われた後において、第２の映像信号を映写機１００に出力する。第１の配置形態は、スクリーン６３に投影された映像を反射板６７を介さずに見るための形態である。第２の配置形態は、スクリーン６３に投影された映像を反射板６７を介して見るための形態である。
【００９６】
上記の構成により磁気共鳴イメージングシステム１は、第１の映写形式と第２の映写形式との切替を契機として、第１の映写形式における第１の映像信号とは異なる第２の映像信号を映写機１００に供給する。これにより、第１の映写形式と第２の映写形式との切替に伴う映像に対する患者Ｐの違和感を解消することができる。また、第１の映写形式と第２の映写形式との切替を自動的に認識することにより、第１の映像信号から第２の映像信号への切替の手間を削減することもできる。
【００９７】
かくして、本実施形態によれば、架台１１のボア５３内の居住性を向上することが可能となる。
【００９８】
（変形例）
上記の実施形態において磁気共鳴イメージングシステム１は、映写機１００を制御する映写機制御装置２００を、撮像制御ユニット１７とは別体で装備するものとした。しかしながら、本実施形態はこれに限定されない。以下、変形例に係る磁気共鳴イメージングシステムについて説明する。なお以下の説明において、本実施形態と略同一の機能を有する構成要素については、同一符号を付し、必要な場合にのみ重複説明する。
【００９９】
図２６は、変形例に係る磁気共鳴イメージングシステム２の構成を示す図である。図２６に示すように、変形例に係る磁気共鳴イメージングシステム２は、磁気共鳴イメージング装置１０と映写機１００とを有する。磁気共鳴イメージング装置１０は、架台１１、寝台１３及び移動式スクリーン装置１５の他に撮像制御ユニット１８を有する。撮像制御ユニット１８は、架台１１及び寝台１３の他に、映写機１００を制御する。
【０１００】
図２７は、変形例に係る磁気共鳴イメージング装置２の構成を示す図である。図２７に示すように、磁気共鳴イメージング装置２は、架台１１、寝台１３、移動式スクリーン装置１５、撮像制御ユニット１８及び位置検出器１９を有する。撮像制御ユニット１８は、傾斜磁場電源２１、送信回路２３、受信回路２５及びコンソール２８を有する。コンソール２８は、撮像制御回路３１、再構成回路３２、画像処理回路３３、通信回路３４、表示回路３５、入力回路３６、主記憶回路３７、システム制御回路３９、映像記憶回路２２０及び接続回路２７０を有する。撮像制御回路３１、再構成回路３２、画像処理回路３３、通信回路３４、表示回路３５、入力回路３６、主記憶回路３７、システム制御回路３９、映像記憶回路２２０及び接続回路２７０は、互いにバスを介して通信可能に接続されている。
【０１０１】
接続回路２７０は、図示しない有線又は無線を介して映写機１００に映像信号を供給するインタフェース回路である。システム制御回路３９は、本実施形態に係るシステム制御回路３８と同様の機能に加え、本実施形態に係る映写機制御装置２００が備える位置情報取得機能２１１、判定機能２１３、映像処理機能２１５及び映像出力機能２１７を実現する。位置情報取得機能２１１、判定機能２１３、映像処理機能２１５及び映像出力機能２１７は、例えば、主記憶回路３７に記憶される本実施形態に係る映像投影プログラムを読み出してメモリ上に展開することにより実行される。各機能２１１、２１３、２１５及び２１７については上記の実施形態と同様なので説明を省略する。
【０１０２】
以上、上記の少なくとも一つの実施形態によれば、架台のボア内の居住性を向上可能な磁気共鳴イメージングシステム、磁気共鳴イメージング装置及び映像投影プログラムを提供することができる。
【０１０３】
上記の構成により、コンソール２７から映写機１００に映像信号を供給することができる。また、コンソール２７において位置情報取得機能２１１、判定機能２１３、映像処理機能２１５及び映像出力機能２１７を実行することができる。よって本実施形態に係る磁気共鳴イメージングシステム１に比して変形例に係る磁気共鳴イメージングシステム２は、簡易な構成とすることができる。
【０１０４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【０１０５】
１…医用画像診断システム（磁気共鳴イメージングシステム）、２…医用画像診断システム（磁気共鳴イメージングシステム）、１０…医用画像診断装置（磁気共鳴イメージング装置）、１１…架台、１３…寝台、１５…移動式スクリーン装置、１７…撮像制御ユニット、１８…撮像制御ユニット、１９…位置検出器、２１…傾斜磁場電源、２３…送信回路、２５…受信回路、２７…コンソール、２８…コンソール、３１…撮像制御回路、３２…再構成回路、３３…画像処理回路、３４…通信回路、３５…表示回路、３６…入力回路、３７…主記憶回路、３８…システム制御回路、３９…システム制御回路、４１…静磁場磁石、４３…傾斜磁場コイル、４５…ＲＦコイル、５１…架台筐体、５３…ボア、５５…レール、５７…内壁、６１…移動台車、６３…スクリーン、６５…支持アーム、６７…反射板、６９…連結部、７１…スライド機構、１００…映写機、１３１…天板、１３３…基台、１３５…寝台駆動装置、１３７…患者固定具、２００…映写機制御装置、２１０…処理回路、２１１…位置情報取得機能、２１３…判定機能、２１５…映像処理機能、２１７…映像出力機能、２２０…映像記憶回路、２３０…通信回路、２４０…表示回路、２５０…入力回路、２６０…主記憶回路、２７０…接続回路、３００…検査室、４００…制御室、５００…壁、５１０…窓、６１１…ガイド、６５１…車輪。
【図１】
2017080300.tif 000003
【図２】
2017080300.tif 000004
【図３】
2017080300.tif 000005
【図４】
2017080300.tif 000006
【図５】
2017080300.tif 000007
【図６】
2017080300.tif 000008
【図７】
2017080300.tif 000009
【図８】
2017080300.tif 000010
【図９】
2017080300.tif 000011
【図１０】
2017080300.tif 000012
【図１１】
2017080300.tif 000013
【図１２】
2017080300.tif 000014
【図１３】
2017080300.tif 000015
【図１４】
2017080300.tif 000016
【図１５】
2017080300.tif 000017
【図１６】
2017080300.tif 000018
【図１７】
2017080300.tif 000019
【図１８】
2017080300.tif 000020
【図１９】
2017080300.tif 000021
【図２０】
2017080300.tif 000022
【図２１】
2017080300.tif 000023
【図２２】
2017080300.tif 000024
【図２３】
2017080300.tif 000025
【図２４】
2017080300.tif 000026
【図２５】
2017080300.tif 000027
【図２６】
2017080300.tif 000028
【図２７】
2017080300.tif 000029